【手続補正書】
【提出日】平成22年5月26日(2010.5.26)
【手続補正１】
【補正対象書類名】特許請求の範囲
【補正対象項目名】全文
【補正方法】変更
【補正の内容】
【特許請求の範囲】
【請求項１】
ディジタル情報を受信して記録媒体に記録再生するディジタル情報記録再生装置において、
前記ディジタル情報には、第１の制御情報と第２の制御情報とが付随しており、
前記第１の制御情報は、少なくとも、前記ディジタル情報のコピー禁止、一世代のみコピー可、コピー可のいずれかを示す情報であり、
前記第２の制御情報は、前記第１の制御情報がコピー禁止であるときに再生できる時間を制限した一時記録を認めるかどうかを示す情報であり、
前記第１の制御情報と前記第２の制御情報とが付随した前記ディジタル情報を受信する受信手段と、
少なくとも前記ディジタル情報記録再生装置に固有の暗号化キーを発生する暗号化キー発生手段と、
前記暗号化キーを用いて、受信した前記ディジタル情報を暗号化する暗号化手段と、
前記暗号化手段で暗号化された前記ディジタル情報を前記記録媒体に記録する記録手段と、
前記暗号化手段と前記記録手段とを制御する記録制御手段と、
前記記録媒体から暗号化された前記ディジタル情報を再生する再生手段と、
暗号化された前記ディジタル情報の暗号を前記暗号化キーを用いて復号する復号化手段と、
前記復号化手段で復号した前記ディジタル情報を出力する出力手段と、
前記再生手段と前記復号化手段と前記出力手段とを制御する再生制御手段とを備え、
前記記録制御手段は、受信した前記ディジタル情報に付随している前記第１の制御情報が一世代のみコピー可であるときには、前記ディジタル情報記録再生装置に固有の暗号化キーで暗号化された前記ディジタル情報を、これ以上のコピーを認めないようにして前記記録媒体に記録するように制御し、
受信した前記ディジタル情報に付随している前記第１の制御情報がコピー禁止でかつ一時記録が認められているときには、前記ディジタル情報記録再生装置に固有の暗号化キーで暗号化された前記ディジタル情報を、一時記録した前記ディジタル情報を再生しても他の装置へ繰り返して一時記録されない状態にして前記記録媒体に記録するように制御するものであり、
前記再生制御手段は、前記ディジタル情報を前記記録媒体から再生する際には、前記ディジタル情報の暗号を前記ディジタル情報記録再生装置に固有の暗号化キーを用いて復号するように制御し、
受信した前記ディジタル情報に付随している前記第１の制御情報が一世代のみコピー可であるときにこれ以上のコピーを認めないようにして前記記録媒体に記録した前記ディジタル情報の他の記録媒体への移動を可能とするように制御し、
受信した前記ディジタル情報に付随している前記第１の制御情報がコピー禁止でかつ一時記録が認められているときに一時記録した前記ディジタル情報の再生できる時間を管理し、
これ以上のコピーを認めないようにして前記記録媒体に記録した前記ディジタル情報を他の記録媒体へ移動したとき、および、一時記録した前記ディジタル情報の再生できる時間を過ぎたときのいずれの場合にも、前記記録媒体に記録された前記ディジタル情報あるいは前記暗号化キーを消去して前記ディジタル情報を利用できないようにする制御をおこなうものであることを特徴とするディジタル情報記録再生装置。
【請求項２】
ディジタル情報を受信して記録媒体に記録再生するディジタル情報受信装置において、
前記ディジタル情報には、第１の制御情報と第２の制御情報とが付随しており、
前記第１の制御情報は、少なくとも、前記ディジタル情報のコピー禁止、一世代のみコピー可、コピー可のいずれかを示す情報であり、
前記第２の制御情報は、前記第１の制御情報がコピー禁止であるときに再生できる時間を制限した一時記録を認めるかどうかを示す情報であり、
前記第１の制御情報と前記第２の制御情報とが付随した前記ディジタル情報を受信する受信手段と、
受信した前記ディジタル情報を前記記録媒体に記録再生する記録再生手段と、
前記記録再生手段で記録再生した前記ディジタル情報を出力する出力手段とを備え、
前記記録再生手段は、前記ディジタル情報受信装置に固有の暗号化キーを発生し、受信した前記ディジタル情報に付随している前記第１の制御情報が一世代のみコピー可であるとき、または、受信した前記ディジタル情報に付随している前記第１の制御情報がコピー禁止でかつ一時記録が認められているときに、前記ディジタル情報受信装置に固有の暗号化キーを用いて前記ディジタル情報を暗号化して前記記録媒体に記録し、前記記録媒体から暗号化された前記ディジタル情報を再生する際には暗号化された前記ディジタル情報の暗号を前記ディジタル情報受信装置に固有の暗号化キーを用いて復号するものであり、
前記記録再生手段は、
受信した前記ディジタル情報に付随している前記第１の制御情報が一世代のみコピー可であるときにこれ以上のコピーを認めないようにして前記記録媒体に記録した前記ディジタル情報の他の記録媒体への移動を可能とし、
受信した前記ディジタル情報に付随している前記第１の制御情報がコピー禁止でかつ一時記録が認められているときに一時記録した前記ディジタル情報の再生できる時間を管理し、該再生できる時間内での前記ディジタル情報の再生においては、他の装置へ繰り返して一時記録されない状態での出力を可能とし、
これ以上のコピーを認めないようにして前記記録媒体に記録した前記ディジタル情報を他の記録媒体へ移動したとき、および、一時記録した前記ディジタル情報の再生できる時間を過ぎたときのいずれの場合にも、前記記録媒体に記録された前記ディジタル情報あるいは前記暗号化キーを消去して前記ディジタル情報を利用できないようにするものであることを特徴とするディジタル情報受信装置。
【請求項３】
ディジタル情報を送信装置より送信し、送信された前記ディジタル情報を受信装置において受信して記録媒体に記録再生するディジタル情報送受信システムであって、
前記ディジタル情報には、第１の制御情報と第２の制御情報が付随しており、
前記第１の制御情報は、少なくとも、前記ディジタル情報のコピー禁止、一世代のみコピー可、コピー可のいずれかを示す情報であり、
前記第２の制御情報は、前記第１の制御情報がコピー禁止であるときに再生できる時間を制限した一時記録を認めるかどうかを示す情報であり、
前記送信装置は、
前記ディジタル情報を、前記第１の制御情報と前記第２の制御情報とともに送信する送信手段を備え、
前記受信装置は、
前記第１の制御情報と前記第２の制御情報とともに送信された前記ディジタル情報を受信する受信手段と、
受信した前記ディジタル情報を前記記録媒体に記録再生する記録再生手段と、
前記記録再生手段で記録再生した前記ディジタル情報を出力する出力手段とを備え、
前記受信装置の前記記録再生手段は、前記受信装置に固有の暗号化キーを発生し、受信した前記ディジタル情報に付随している前記第１の制御情報が一世代のみコピー可であるとき、または、受信した前記ディジタル情報に付随している前記第１の制御情報がコピー禁止でかつ一時記録が認められているときに、前記受信装置に固有の暗号化キーを用いて前記ディジタル情報を暗号化して前記記録媒体に記録し、前記記録媒体から暗号化された前記ディジタル情報を再生する際には暗号化された前記ディジタル情報の暗号を前記受信装置に固有の暗号化キーを用いて復号するものであり、
前記記録再生手段は、受信した前記ディジタル情報に付随している前記第１の制御情報が一世代のみコピー可であるときにこれ以上のコピーを認めないようにして前記記録媒体に記録した前記ディジタル情報の他の記録媒体への移動を可能とし、
受信した前記ディジタル情報に付随している前記第１の制御情報がコピー禁止でかつ一時記録が認められているときに一時記録した前記ディジタル情報の再生できる時間を管理し、該再生できる時間内での前記ディジタル情報の再生においては、他の装置へ繰り返して一時記録されない状態での出力を可能とし、
これ以上のコピーを認めないようにして前記記録媒体に記録した前記ディジタル情報を他の記録媒体へ移動したとき、および、一時記録した前記ディジタル情報の再生できる時間を過ぎたときのいずれの場合にも、前記記録媒体に記録された前記ディジタル情報あるいは前記暗号化キーを消去するものであることを特徴とするディジタル情報送受信システム。
【手続補正２】
【補正対象書類名】明細書
【補正対象項目名】発明の名称
【補正方法】変更
【補正の内容】
【発明の名称】ディジタル情報記録再生装置、ディジタル情報受信装置、ディジタル情報送受信システム
【手続補正３】
【補正対象書類名】明細書
【補正対象項目名】００１０
【補正方法】変更
【補正の内容】
【００１０】
本発明の目的は、上記した問題に鑑み、ハードディスクを取外されるなどした場合においても、No More Copiesである情報の記録媒体を増加させないようにする手段、およびこれを適用した装置を提供することにあり、つまるところ著作権を考慮しつつディジタル情報記録再生装置およびディジタル情報記録再生方法の使い勝手を向上させることを目的とする。
【手続補正４】
【補正対象書類名】明細書
【補正対象項目名】００１１
【補正方法】変更
【補正の内容】
【００１１】
上記目的は、例えば、特許請求の範囲に記載の発明により解決できる。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
本発明によれば、著作権を考慮しつつディジタル情報記録再生装置およびディジタル情
報記録再生方法の使い勝手を向上させることができる。